(57)【要約】【課題】  腰椎と胸椎との間の背骨部分を補強し、腰痛を予防するため等に使用するに適した医療コルセットであって、比較的簡単な構造で、手軽に着用でき、身体を屈曲することができ、しかも着用時にずれにくく、圧迫感や窮屈感の少ないコルセットを提供すること。【解決手段】  肋骨下部付近に巻回して端部同士を互いに固定できる胸部ベルトと、骨盤上部付近に巻回して端部同士を互いに固定できる骨盤ベルトと、上端部を前記胸部ベルトに、下端部を前記骨盤ベルトにそれぞれ固定できる着脱自在な縦方向の支柱部材とを備えたコルセット。前記支柱部材は、布よりも剛性の高い材料である合成樹脂等の芯材を備えている。また、ベルトの端部同士の固定やベルトに対する支柱部材の固定は、面ファスナーで行うのが好ましい。【選択図】      図５
2006149849.tif 000002
【特許請求の範囲】
【請求項１】
肋骨下部付近に巻回して端部同士を互いに固定できる胸部ベルトと、骨盤上部付近に巻回して端部同士を互いに固定できる骨盤ベルトと、上端部を前記胸部ベルトに、下端部を前記骨盤ベルトにそれぞれ固定できる着脱自在な縦方向の支柱部材とを備え、該支柱部材は、布よりも剛性の高い材料で形成されていることを特徴とするコルセット。
【請求項２】
胸部ベルトと骨盤ベルトが伸縮性を有する布で作られている請求項１に記載のコルセット。
【請求項３】
支柱部材は、合成樹脂製の板材からなる芯材を備え、その外面が布で被覆されている請求項１又は２に記載のコルセット。
【請求項４】
骨盤ベルトの端部同士と、胸部ベルトの端部同士を固定するための固定手段、および骨盤ベルトと胸部ベルトに対し支柱部材を固定するための固定手段として、面ファスナーが設けられている請求項１乃至３のいずれかに記載のコルセット。
【発明の詳細な説明】
【技術分野】
【０００１】
本発明は、腰椎と胸椎との間の背骨部分を補強し、腰痛を予防するため等に使用するに適した医療コルセットに関するものである。
【背景技術】
【０００２】
腰椎と胸椎との間の背骨を保護するコルセットとして、従来広く使用されてきたのは、上縁部が肋骨付近に達し、下縁部が骨盤に達する幅広い布製の帯状のものであった。
【発明の開示】
【発明が解決しようとする課題】
【０００３】
上記従来のコルセットは、肋骨から骨盤に至る胴部の上下長い範囲に巻き付けて固定するものであるから、患者の腹部に少なからざる圧迫感を与えたり、通気性を悪化させて不快感を抱かせたりしていた。また、胴体の上下の広い範囲を固定するものであるから、窮屈で、身体を折り曲げるのが困難であるという問題点もあった。
【０００４】
なお、従来のコルセットにありがちな問題点を解決しようとするものとして、例えば特許文献１及び特許文献２に記載されているようなものが提案されている。
【特許文献１】特開２００４−２０９０５０号公報
【特許文献２】特開２００２−１６５８１９号公報
【０００５】
上記特許文献１に記載されているものは、主に腰部をホールドする腰部固定帯と、主に骨盤をホールドする骨盤固定帯とを一体的に備え、前記骨盤固定帯を腰部固定帯に対して、生理的骨盤傾斜角に対応させて腰腹部方向に２０〜３０度傾斜させて設けたものである。このコルセットは、腰部固定帯と骨盤固定帯とを別々に設けたことにより、腰部固定帯によって腹腔内圧を適度に上昇させつつ、骨盤固定帯によって骨盤全体をホールドできるので、コルセットの体幹上部へのズレを解消でき、快適な装着感及び外観性が得られるとされている。
【０００６】
また、上記特許文献２に記載のものは、胸郭部装着帯を付設した胸郭部支持盤と、左右に二分割しかつ骨盤部装着帯を付設した骨盤部支持盤と、側壁を兼ねた側面支柱手段とを備えたフレーム式コルセットであり、脊椎背面中心位置にピアノ線で作られた背面反張弾性支持手段と、これに連結する腰仙部締結調節手段と、ピアノ線で作られた全面反張弾性支柱手段と、さらに、前記側面支柱手段及び腰仙部締結手段を介して巻き付け、胴を締め付けるベルト状の腰部脊柱吊り支え弾性状手段を備え、この腰部脊柱吊り支え弾性手段を左右対称に折り返し、前記骨盤部支持盤に固定するようになっている。なお、上記胸郭部支持盤と骨盤部支持盤は例えばステンレス製薄板で作られている。
【０００７】
上記特許文献１に記載のコルセットは、主として腰部と骨盤を保護するもので、胸部と骨盤部との間の脊椎を保護することはできないものである。また、上記特許文献２に記載のものは、構成部品が多い複雑な構造のフレーム式コルセットであり、製作費が高くつくという問題点があるほか、装着操作が煩雑で、手軽に着用するには適していないと考えられる。
【０００８】
そこで、本発明は、比較的簡単な構造で、手軽に着用でき、身体を屈曲することができ、しかも着用時にずれにくく、圧迫感や窮屈感の少ないコルセットを提供することを課題としている。
【課題を解決するための手段】
【０００９】
上記課題を解決するため、本発明は次のような構成を採用した。すなわち、請求項１に記載の本発明に係るコルセットは、肋骨下部付近に巻回して端部同士を互いに固定できる胸部ベルトと、骨盤上部付近に巻回して端部同士を互いに固定できる骨盤ベルトと、上端部を前記胸部ベルトに、下端部を前記骨盤ベルトにそれぞれ固定できる着脱自在な縦方向の支柱部材とを備え、該支柱部材は、布よりも剛性の高い材料で形成されていることを特徴としている。
【００１０】
また、請求項２に記載のコルセットは、上記請求項１に記載のコルセットの胸部ベルトと骨盤ベルトが伸縮性を有する布で作られているものである。さらに、請求項３に記載のコルセットは、前記支柱部材が、合成樹脂製の板材からなる芯材を備え、その外面が布で被覆されているものである。また、請求項４に記載のコルセットは、上記コルセットにおける、骨盤ベルトの端部同士と、胸部ベルトの端部同士を固定するための固定手段、および骨盤ベルトと胸部ベルトに対し支柱部材を固定するための固定手段として、面ファスナーを利用するものである。
【発明の効果】
【００１１】
請求項１に記載の本発明に係るコルセットは、肋骨付近の胸部に固定される胸部ベルトと、主として骨盤部に固定される骨盤ベルトとを備え、これら両ベルトを左右の支柱部材で互いに連結固定するものであるから、骨盤部から肋骨部にいたる胴部全体に巻回・固定しなくても骨盤部と肋骨部の間の脊椎を保護することができる。胴部の広い範囲に巻き付けて固定するものではなく、両ベルトの間には比較的大きな隙間があるので、通気性が良好で、着用する患者に不必要な窮屈感や圧迫感を与えずにすみ、身体の屈伸も比較的楽に行うことができる。また、請求項２に記載の発明によれば、胸部ベルトや骨盤ベルトを簡単に身体に巻き付けて固定することができる。さらに請求項３に記載の発明によれば、支柱部材として合成樹脂製板材の芯材を使用するので、軽量で剛性が高く、しかもある程度の弾性があるので、両ベルトの位置ずれを効果的に防止することができ、身体を屈める動作も比較的容易となる。また、請求項４に記載の発明では、ベルトの端部同士と該ベルトに対する支柱部材の固定を面ファスナーで行うので、着脱が容易で、強度的にもすぐれたものとなる。
【発明を実施するための最良の形態】
【００１２】
以下、本発明の好ましい実施形態について具体的に説明する。図は本発明に係るコルセットを例示するもので、このコルセット１は、骨盤ベルト２と、胸部ベルト３と、左右一対の支柱部材４，４を備えている。
【００１３】
骨盤ベルト２は、上側部縁２ａが水平状で、下側縁部は左右中央部２ｂが下向きに膨出した凸状に形成されている。また、胸部ベルト３は、下側縁部３ａが水平状で、上側縁部は左右中央部３ｂが上向きに膨出した形状となっている。骨盤ベルト２と胸部ベルト３は、いずれもネオプレン系等の適度の伸縮性を有する布材で作られたもので、表面側は全体的に固定手段として面ファスナー７が取り付けられている。また、中央部よりも上下幅の狭い左右両端部の裏面側には、固定手段として表面側の面ファスナーに係着する面ファスナー７が取り付けられ、両端部を重ね合わせて固定できるようになっている。
【００１４】
支柱部材４は、適度の剛性と弾性を有する板状の芯材１０を布材で被服したもので、上下両端部４ａ，４ｂが広く中間部４ｃは細い板状の部材である。芯材１０としては、布よりも剛性が高く適度の弾性を有する材質の板が使用される。図示例では、芯材１０として熱可塑性樹脂の板が使用されているが、他の合成樹脂や金属板等を使用することができる。支柱部材４の芯材を被服する布材としては、上記骨盤ベルト２、胸部ベルト３等の材質と同じものでもよく、他の布材を使用してもよい。
【００１５】
支柱部材４の上下両端部の裏面側には、前記骨盤ベルト２と胸部ベルト３に対する固定手段として面ファスナー７が取り付けられている。この面ファスナー７は、前記骨盤ベルト２と胸部ベルト３の着用時に胴体側部に該当する部分の表面に係着するもので、例えば、骨盤ベルト２と胸部ベルト３の表面に設けられている面ファスナー７が雌（リング）側のファスナーの場合は、支柱部材の面ファスナー７は雄（フック）側のファスナーとしておけばよい。この逆でもよいことは言うまでもない。
【００１６】
上記のとおり、図示例の骨盤ベルト２と胸部ベルト３の表面（着用時に外面となる面）には、全体的に固定手段である面ファスナー７が設けられていて、支柱部材４をどこにでも固定することができるので、実用上便利であるが、表面全体を面ファスナーで形成しない場合は、ある程度広い面積の面ファスナー７を身体の側部に該当する位置に設けておけばよい。
【００１７】
このコルセット１の使用に際しては、骨盤ベルト２を身体の骨盤付近の所定位置に巻回して固定し、胸部ベルト３を肋骨の下部付近の所定位置に巻回して固定する。この固定は、ベルトの端部同士を重ね合わせて、表裏両面に設けた面ファスナー７を係着させることにより行う。次に、左右一対の支柱部材４，４をこれら骨盤ベルト３と胸部ベルト３に取り付ける。図３、図４はこの装着状態を表すもので、骨盤ベルト２の端部同士と胸部ベルト３の端部同士が身体の前側でそれぞれ互いに係着固定され、上下幅の広い中央部が背中部分に位置するように巻回されている。そして、左右の支柱部材４，４が身体の左右側部で骨盤ベルト２と胸部ベルト３に取り付けられている。
【００１８】
骨盤の外径は胴部に比べて大きいので、着用状態では、骨盤ベルト２が下側にずり下がることはなく、むしろ上向きにずり上がる方向の力が作用する。一方、胸部ベルト３は、肋骨に当たって上側への移動が規制される。このため、骨盤ベルト２から剛性を有する左右の支柱部材４，４を介して上向きの力が作用しても、胸部ベルト３がストッパの役目を果たして、骨盤ベルト２の上側への移動が規制されるのである。従来の布製コルセットは、着用時にずり上がることが多かったが、このコルセット１は、このようなずり上がりが起こらず、長時間にわたって背骨の適正な保護効果を維持することができる。
【００１９】
さらに、骨盤ベルト２に上向きに移動しようとする力が作用すると、この力が左右の支柱部材４，４を介して胸部ベルト３に伝達されるが、胸部ベルト３は肋骨によって上向きの移動が規制されるので、骨盤ベルト２の上向きの力が背骨を伸ばす方向に作用する。このため、背骨の牽引効果が期待できるのである。
【００２０】
このコルセット１は、骨盤ベルト２と胸部ベルト３と左右一対の支柱部材４，４で構成されるので、部品数が少なく、構造的にも極めて簡単であり、価格も低く抑えることができる。また、骨盤ベルト２と胸部ベルト３をそれぞれ独立的に身体に固定することができ、しかも支柱部材４を簡単にこれらに装着して固定することができるので、身体に対する着脱がきわめて簡単である。
【００２１】
さらに、支柱部材４の裏面に設けている面ファスナー７の上下長さをある程度長くしておくことにより、骨盤ベルト２と胸部ベルト３の間隔を自在に調節できるようになる。したがって、着用者に身長差（胴体の長さの差）があっても、簡単に調節して最適の着用状態を得ることができる。また、このコルセット１は、通常は、骨盤ベルト２と胸部ベルト３と支柱ベルト４，４とをセットにして使用するが、場合によっては、骨盤ベルト２だけを独立に着用することも可能である。腰の悪い人でも、骨盤ベルト２を装着しておけば、骨盤が保護され、楽になることが多い。
【００２２】
なお、以上の実施形態では、左右一対の支柱部材４，４を設けているが、場合によっては３本以上の支柱部材を設けておいてもよい。また、骨盤ベルト２、胸部ベルト３の他に中間ベルトを設け、多段ベルト式のコルセットとしてもよい。なお骨盤ベルト２、胸部ベルト３、及び支柱部材４の形状は、図示例のものに限らず、他の適当な形状とすることができる。さらに、上記実施形態では、骨盤ベルト２や胸部ベルト３の端部同士の固定手段と、これら両ベルトに対する支柱部材４の固定手段として、面ファスナー７を用いているので、これらの着脱が簡単なものとなっているが、面ファスナーの代わりにボタン、スナップファスナー等の他の固定手段を用いることもできる。
、
【産業上の利用可能性】
【００２３】
本発明に係るコルセットは、布、合成樹脂等を利用して工業生産的に製作することができ、健康産業の分野で広範囲な用途が期待できる。
【図面の簡単な説明】
【００２４】
【図１】本発明のコルセットの組み立て状態を表す展開図である。
【図２】胸部ベルトの展開状態を表す正面図である。
【図３】支柱部材の正面図である。
【図４】骨盤ベルトの展開状態を表す正面図である。
【図５】使用状態を表す正面図である。
【図６】使用状態を表す側面図である。
【符号の説明】
【００２５】
１        コルセット
２        骨盤ベルト
３        胸部ベルト
４        支柱部材
７        面ファスナー（固定手段）
１０        芯材
【図１】
2006149849.tif 000003
【図２】
2006149849.tif 000004
【図３】
2006149849.tif 000005
【図４】
2006149849.tif 000006
【図５】
2006149849.tif 000007
【図６】
2006149849.tif 000008